(57)【要約】【課題】本発明の目的は、スペーサ部材とアダプタ部材とからなるガスメータ固定具を用いてガスメータを壁面に固定するガスメータ固定方法において、旧型ガスメータを新型に交換する際に、低コスト且つ省スペースのメリットをできるだけ損なわず、煩雑な作業を必要としない技術を実現する点にある。【解決手段】アダプタ部材３０ａにおける係合穴３６ａに対するねじ挿入穴３７ａの間隔Ｈａが、スペーサ部材２０ｂにおける係合フック２６ｂに対するめねじ部２７ｂの間隔Ｈｂに対して小さい場合に、めねじ部２７ｂにねじ固定されるねじ挿入穴４２が形成された固定片４１と、ねじ挿入穴４２をめねじ部２７ｂにねじ固定した状態でねじ挿入穴３７ａに係止される係止片４３とからなる支持部材４０を用いて、アダプタ部材３０ａをスペーサ部材２０ｂに固定する。【選択図】図３
2007198908.tif 000002
【特許請求の範囲】
【請求項１】
壁面に固定されると共に前記壁面から所定の間隔を置いて配置されるスペーサ側固定片を有するスペーサ部材と、前記スペーサ側固定片に固定されるアダプタ側固定片を有すると共にガスメータが接続される管継手を固定するアダプタ部材とからなり、前記アダプタ側固定片にアダプタ側係合穴とアダプタ側ねじ挿入穴とが形成されていると共に、前記スペーサ側固定片に前記アダプタ側係合穴を係合するためのスペーサ側係合フックと前記アダプタ側ねじ挿入穴をねじ固定するためのスペーサ側めねじ部とが形成されているガスメータ固定具を用い、
前記アダプタ側係合穴を前記スペーサ側係合フックに係合させて前記スペーサ部材に掛止した状態で固定した前記アダプタ部材に、前記ガスメータの管継手を固定させて、前記ガスメータを前記壁面に固定するガスメータ固定方法であって、
前記スペーサ側めねじ部にねじ固定される支持側ねじ挿入穴が形成された支持側固定片と、前記支持側ねじ挿入穴を前記スペーサ側めねじ部にねじ固定した状態で前記スペーサ部材に掛止された前記アダプタ部材の前記アダプタ側ねじ挿入穴に係止される支持側係止片とからなる支持部材を用い、
前記アダプタ部材を前記スペーサ部材に掛止した状態で、前記支持側ねじ挿入穴を前記スペーサ側めねじ部にねじ固定すると共に前記支持側係止片を前記アダプタ側ねじ挿入穴に係止させる状態で、前記支持部材を前記スペーサ部材に固定して、当該アダプタ部材を当該スペーサ部材に固定するガスメータ固定方法。
【請求項２】
前記支持部材が、前記支持側ねじ挿入穴を前記スペーサ側めねじ部にねじ固定した状態で、前記支持部材係止部が前記アダプタ側ねじ挿入穴の内径面を前記支持側ねじ挿入穴側に向けて弾性的に押圧して固定するように構成されている請求項１に記載のガスメータ固定方法。
【請求項３】
前記支持部材が管材固定用の片サドルにより構成されている請求項１又は２に記載のガスメータ固定方法。
【請求項４】
壁面に固定されると共に前記壁面から所定の間隔を置いて配置されるスペーサ側固定片を有するスペーサ部材と、前記スペーサ側固定片に固定されるアダプタ側固定片を有すると共にガスメータが接続される管継手を固定するアダプタ部材とからなり、前記アダプタ側固定片にアダプタ側係合穴とアダプタ側ねじ挿入穴とが形成されていると共に、前記スペーサ側固定片に前記アダプタ側係合穴を係合するためのスペーサ側係合フックと前記アダプタ側ねじ挿入穴をねじ固定するためのスペーサ側めねじ部とが形成されているガスメータ固定具であって、
前記アダプタ部材における前記アダプタ側係合穴に対する前記スペーサ側めねじ部の間隔であるアダプタ側固定間隔が、前記スペーサ部材における前記スペーサ側係合フックに対する前記スペーサ側めねじ部の間隔であるスペーサ側固定間隔よりも小さく、
前記スペーサ側めねじ部にねじ固定される支持側ねじ挿入穴が形成された支持側固定片と、前記支持側ねじ挿入穴を前記スペーサ側めねじ部にねじ固定した状態で前記スペーサ部材に掛止された前記アダプタ部材の前記アダプタ側ねじ挿入穴に係止される支持側係止片とからなる支持部材を備え、
前記アダプタ部材を前記スペーサ部材に掛止した状態で、前記支持側ねじ挿入穴を前記スペーサ側めねじ部にねじ固定すると共に前記支持側係止片を前記アダプタ側ねじ挿入穴に係止させる状態で、前記支持部材を前記スペーサ部材に固定して、当該アダプタ部材を当該スペーサ部材に固定するように構成されているガスメータ固定具。
【発明の詳細な説明】
【技術分野】
【０００１】
本発明は、ガスメータを壁面に固定するためのガスメータ固定具、及び、そのガスメータ固定具を用いてガスメータを壁面に固定するガスメータ固定方法に関する。
【背景技術】
【０００２】
従来のガスメータを壁面に固定するためのガスメータ固定具として、図６、図７に示すようなガスメータ固定具１００が知られている（例えば、特許文献１を参照。）。尚、詳細については後述するが、図６は、新型ガスメータ固定具１００ａの概略斜視図であり、図７は、旧型ガスメータ固定具１００ｂの概略斜視図である。
この種のガスメータ固定具１００は、家屋などの壁面１に固定されるスペーサ部材２０と、そのスペーサ部材２０に固定可能且つガスメータ１０（図１参照）を固定するアダプタ部材３０とからなる。
上記スペーサ部材２０は、壁面１に形成しためねじ部にねじＳにより固定されるねじ挿入穴２２を形成した壁面固定片２１と、壁面１から所定の間隔を置いて配置されるスペーサ側固定片２５とを有する。一方、アダプタ部材３０は、スペーサ側固定片２５に固定されるアダプタ側固定片３５とガスメータ１０を固定するための支持穴３２を形成したガスメータ固定片３１とを有する。
更に、アダプタ側固定片３５には、一対のアダプタ側係合穴３６及びアダプタ側ねじ挿入穴３７が左右対称に形成されていると共に、スペーサ側固定片２５には、アダプタ側係合穴３６及びアダプタ側ねじ挿入穴３７に対応して、一対のスペーサ側係合フック２６及びスペーサ側めねじ部２７が左右対称に形成されている。そして、アダプタ側係合穴３６をスペーサ側係合フック２６に係合させてアダプタ部材３０をスペーサ部材２０に掛止した状態で、アダプタ側ねじ挿入穴３７をスペーサ側めねじ部２７にねじＳにより固定することにより、アダプタ部材２０をスペーサ部材３０に固定することができる。
【０００３】
また、近年開発及び普及されている新型ガスメータ１０ａを固定するためのガスメータ固定具（以下、「新型ガスメータ固定具」と呼ぶ。）１００ａ（図６参照）は、旧型ガスメータ１０ｂを固定するためのガスメータ固定具（以下、「旧型ガスメータ固定具」と呼ぶ。）１００ｂ（図７参照）と比較して、低コスト且つ省スペース化を図るべく、特に高さ方向の寸法を小さくした小型のものとなっている。具体的には、新型ガスメータ固定具１００ａと旧型ガスメータ固定具１００ｂとは、アダプタ部材３０におけるアダプタ側係合穴３６に対するアダプタ側ねじ挿入穴３７の間隔であるアダプタ側固定間隔（スペーサ部材２０におけるスペーサ側係合フック２６に対するスペーサ側めねじ部２７の間隔であるスペーサ側固定間隔と同じ。）について、新型ガスメータ固定具１００ａの間隔Ｈａが、旧型ガスメータ固定具１００ｂの間隔Ｈｂよりも小さくなっている。
尚、新型ガスメータ固定具１００ａと旧型ガスメータ固定具１００ｂとを区別するために、互いに対応する要部を示す符号の数字の末尾に、新型の場合には「ａ」を付し、旧型の場合には「ｂ」を付して示す場合がある。
【０００４】
また、このような小型である新型ガスメータ固定具１００ａは、各部材を構成する板材の厚みを若干厚くするなどの補強が施されており、充分な剛性や強度が実現されている。
【０００５】
【特許文献１】特開平１０−２５３４１９号公報
【発明の開示】
【発明が解決しようとする課題】
【０００６】
旧型ガスメータから新型ガスメータに交換する場合には、上述したように新型ガスメータ固定具と旧型ガスメータ固定具との特に高さ方向における寸法が異なることから、通常、スペーサ部材を含めて、そのガスメータ固定具全体を交換していた。
そして、このようにガスメータ固定具を新型から旧型に交換すると、壁面に固定するスペーサ部材を旧型から新型に交換するために、壁面に新型のスペーサを固定するためのめねじ部を新たに形成する必要が生じ、旧型ガスメータ固定具を取り付けるためのめねじ部が壁面に残って、平面の外観を損なう等の問題がある。
【０００７】
また、上記のように壁面に新たなめねじ部を形成することなく、旧型ガスメータを新型ガスメータに交換する方法としては、図２（イ）に示すように、壁面に既に固定された旧型ガスメータ固定具１００ｂのスペーサ部材（以下、「旧型スペーサ部材」と呼ぶ。）２０ｂをそのまま利用し、その旧型スペーサ部材２０ｂに、新型ガスメータ固定具１００ａのアダプタ部材（以下、「新型アダプタ部材」と呼ぶ。）３０ａを固定するというようなガスメータ固定方法が考えられる。
しかし、このようなガスメータ固定方法では、図２（ロ）に示すように、新型アダプタ部材３０ａのアダプタ側係合穴３６ａを、旧型スペーサ部材２０ｂのスペーサ側係合フック２６ｂに係合させて、新型アダプタ部材３０ａを旧型スペーサ部材２０ｂに掛止した状態において、旧型スペーサ部材２０ｂのスペーサ側めねじ部２７ｂの位置は、新型アダプタ部材３０ａのアダプタ側ねじ挿入穴３７ａの位置に一致せずに、アダプタ側固定片３５ａの下端部よりも下方側に露出された状態となる。よって、この固定方法では、スペーサ側めねじ部２７ｂにアダプタ側ねじ挿入穴３７ａを直接ねじ固定することができなくなるので、ねじ固定とは別の固定を施す必要があり、その固定方法としては、以下の第１又は第２の固定方法が考えられる。
【０００８】
先ず、第一の固定方法は、壁面に既に固定された旧型スペーサ部材のスペーサ側固定片において、新型アダプタ部材に形成されたアダプタ側ねじ挿入穴に対応する位置に、新たにスペーサ側めねじ部を形成し、旧型スペーサ部材に新型アダプタ部材を掛止した状態で、新型アダプタ部材のアダプタ側ねじ挿入穴を、旧型スペーサ部材に新たに形成したスペーサ側めねじ部にねじ固定することにより、新型アダプタ部材を旧型スペーサ部材に固定する方法である。
しかし、この第１の固定方法では、旧型スペーサ部材に新たにスペーサ側めねじ部を形成するための電動ドライバーなどを用いた作業が必要となり、作業が煩雑なものとなる。
【０００９】
次に、第２の固定方法では、壁面に既に固定された旧型スペーサ部材に新型アダプタ部材を掛止した状態で、締具（クランプ）により、スペーサ側固定片とアダプタ側固定片とを側方から挟み込んで固定することにより、新型アダプタ部材を旧型スペーサ部材に固定する方法である。
しかし、この第２の固定方法では、比較的高価な締具が必要となる上に、この締具が旧型スペーサの側方に突出した状態で配置されることから、新型ガスメータ固定具における低コスト且つ省スペースのメリットが損なわれるという問題がある。
【００１０】
本発明は、上記の課題に鑑みてなされたものであり、その目的は、旧型ガスメータを新型ガスメータに交換する際に、壁面に新たなめねじ部を形成することなく、旧型ガスメータを固定するために壁面に既に固定されている旧型スペーサ部材に、新型ガスメータを固定するための新型アダプタ部材を取り付けるなどの理由で、アダプタ側固定間隔がスペーサ側固定間隔に対して小さい場合において、低コスト且つ省スペースのメリットをできるだけ損なわず、煩雑な作業を必要としないガスメータ固定具及びガスメータ固定方法を実現する点にある。
【課題を解決するための手段】
【００１１】
上記目的を達成するための本発明に係るガスメータ固定方法は、壁面に固定されると共に前記壁面から所定の間隔を置いて配置されるスペーサ側固定片を有するスペーサ部材と、前記スペーサ側固定片に固定されるアダプタ側固定片を有すると共にガスメータが接続される管継手を固定するアダプタ部材とからなり、前記アダプタ側固定片にアダプタ側係合穴とアダプタ側ねじ挿入穴とが形成されていると共に、前記スペーサ側固定片に前記アダプタ側係合穴を係合するためのスペーサ側係合フックと前記アダプタ側ねじ挿入穴をねじ固定するためのスペーサ側めねじ部とが形成されているガスメータ固定具を用い、
前記アダプタ側係合穴を前記スペーサ側係合フックに係合させて前記スペーサ部材に掛止した状態で固定した前記アダプタ部材に、前記ガスメータの管継手を固定させて、前記ガスメータを前記壁面に固定するガスメータ固定方法であって、その第１特徴構成は、前記アダプタ部材における前記アダプタ側係合穴に対する前記アダプタ側ねじ挿入穴の間隔であるアダプタ側固定間隔が、前記スペーサ部材における前記スペーサ側係合フックに対する前記スペーサ側めねじ部の間隔であるスペーサ側固定間隔に対して小さい場合に、
前記スペーサ側めねじ部にねじ固定される支持側ねじ挿入穴が形成された支持側固定片と、前記支持側ねじ挿入穴を前記スペーサ側めねじ部にねじ固定した状態で前記スペーサ部材に掛止された前記アダプタ部材の前記アダプタ側ねじ挿入穴に係止される支持側係止片とからなる支持部材を用い、
前記アダプタ部材を前記スペーサ部材に掛止した状態で、前記支持側ねじ挿入穴を前記スペーサ側めねじ部にねじ固定すると共に前記支持側係止片を前記アダプタ側ねじ挿入穴に係止させる状態で、前記支持部材を前記スペーサ部材に固定して、当該アダプタ部材を当該スペーサ部材に固定する点にある。
【００１２】
また、上記目的を達成するための本発明に係るガスメータ固定具は、上述した本発明に係るガスメータ固定方法で用いられるガスメータ固定具であって、その特徴構成は、前記アダプタ部材における前記アダプタ側係合穴に対する前記スペーサ側めねじ部の間隔であるアダプタ側固定間隔が、前記スペーサ部材における前記スペーサ側係合フックに対する前記スペーサ側めねじ部の間隔であるスペーサ側固定間隔よりも小さく、
前記スペーサ側めねじ部にねじ固定される支持側ねじ挿入穴が形成された支持側固定片と、前記支持側ねじ挿入穴を前記スペーサ側めねじ部にねじ固定した状態で前記スペーサ部材に掛止された前記アダプタ部材の前記アダプタ側ねじ挿入穴に係止される支持側係止片とからなる支持部材を備え、
前記アダプタ部材を前記スペーサ部材に掛止した状態で、前記支持側ねじ挿入穴を前記スペーサ側めねじ部にねじ固定すると共に前記支持側係止片を前記アダプタ側ねじ挿入穴に係止させる状態で、前記支持部材を前記スペーサ部材に固定して、当該アダプタ部材を当該スペーサ部材に固定するように構成されている点にある。
【００１３】
尚、本願明細書において、説明を簡単なものとするために、旧型ガスメータを新型ガスメータに交換するにあたり、壁面に既に固定された比較的大型な旧型スペーサ部材に比較的小型な新型アダプタ部材を固定するために、上記アダプタ側固定間隔が上記スペーサ側固定間隔に対して小さい場合を想定して、当該小さい側のアダプタ側固定間隔を既定する側のアダプタ部材及びガスメータ固定具の語頭に「新型」を付し、当該大きい側のスペーサ側固定間隔を既定する側のスペーサ部材及びガスメータ固定具の語頭に「旧型」を付して、夫々を区別して呼ぶ。
【００１４】
本発明に係るガスメータの固定方法及びガスメータ固定具によれば、新型アダプタ部材における上記アダプタ側固定間隔が旧型スペーサ部材における上記スペーサ側固定間隔よりも小さく、当該新型アダプタ部材を当該旧型スペーサ部材に掛止した状態で、スペーサ側めねじ部の位置が、アダプタ側ねじ挿入穴の位置に一致せずにアダプタ側固定片の下端部よりも下方側に露出された状態となっている場合においても、上記のように旧型スペーサ部材と新型アダプタ部材とで構成されたガスメータ固定具において、上記のように支持側固定片と支持側係止片とからなると共に旧型スペーサ部材のスペーサ側めねじ部に簡単且つ省スペースでねじ固定可能な支持部材を追加するだけで、壁面に新たなめねじ部を形成することなく新型アダプタ部材を旧型スペーサ部材に固定することができる。
【００１５】
即ち、新型アダプタ部材を旧型スペーサ部材に掛止した状態で、アダプタ側固定片の下端部よりも下方側に露出されたスペーサ側固定片に形成されたスペーサ側めねじ部に、上記支持部材の支持側固定片に形成された支持側ねじ挿入穴をねじ固定し、同支持部材において支持側固定片から延出形成されている支持側係止片をアダプタ側固定片に形成されたアダプタ側ねじ挿入穴に係止させる状態で、指示部材をスペーサ部材に固定することで、このアダプタ側固定片をスペーサ側固定片に密着させた状態で、新型アダプタ部材を旧型スペーサ部材に固定することができる。また、この支持部材は、支持側固定片と支持側係止片とからなるという小型且つ安価に製作可能な構成を有する上に、支持側ねじ挿入穴をスペーサ側めねじ部にねじ固定する形態で旧型スペーサ部材に側方に突出することなく取り付けられることから、ガスメータ固定具における低コスト且つ省スペースのメリットを損なわずに、新型アダプタ部材を旧型スペーサに固定することができる。
よって、本発明により、ガスメータ固定具における低コスト且つ省スペースのメリットをできるだけ損なわず、煩雑な作業を必要としないガスメータ固定方法及びガスメータ固定具を実現することができる。
【００１６】
本発明に係るガスメータ固定方法の第２特徴構成は、前記支持部材が、前記支持側ねじ挿入穴を前記スペーサ側めねじ部にねじ固定した状態で、前記支持部材係止部が前記アダプタ側ねじ挿入穴の内径面を前記支持側ねじ挿入穴側に向けて弾性的に押圧して固定するように構成されている点にある。
【００１７】
上記第２特徴構成によれば、スペーサ側めねじ部に支持側ねじ挿入穴をねじ固定した支持部材の支持部材係止部が、アダプタ側ねじ挿入穴の内径面を支持側ねじ挿入穴側に向けて弾性的に押圧して固定することで、新型アダプタ部材がその押圧方向とは逆方向に変位することが良好に抑制されるので、その新型アダプタ部材のアダプタ側係合穴が、旧型スペーサ部材のスペーサ側係合フックから外れることを良好に防止することができる。また、上記のような支持部材係止部によるアダプタ側ねじ挿入穴の内径面に対する押圧力により、新型アダプタ部材が、スペーサ側係合フックに係合されているアダプタ側係合穴を中心に回転変位することも良好に抑制されるので、旧型スペーサに取り付けられた新型アダプタのがたつきをも良好に抑制することができるので、新型ガスメータを良好な状態で壁面に固定することができる。
【００１８】
本発明に係るガスメータ固定方法の第３特徴構成は、前記支持部材が管材固定用の片サドルにより構成されている点にある。
【００１９】
上記第３特徴構成によれば、上記のように支持側固定片と支持側係止片とからなる支持部材は、市販されており安価に入手可能な管材固定用の片サドルにより構成することができる。即ち、管材固定用の片サドルは、ねじ固定用のねじ挿入穴が形成された平板部と、その平板部から管材の外周を把持する形態で半円状に延出する支持部とからなり、当該平板部を上記支持側固定片とし当該支持部を上記支持側係止片とする形態で、管材固定用の片サドルを、本発明のガスメータ固定方法で利用する支持部材として利用することができる。
【発明を実施するための最良の形態】
【００２０】
本発明の実施の形態について、図面に基づいて説明する。
図１及び図２（イ），（ロ）に示すガスメータ固定具１００ｃは、家屋などの壁面１に固定されるスペーサ金具２０（スペーサ部材の一例）と、ガスメータ１０を固定すると共にスペーサ金具２０に固定されるべきアダプタ金具３０（アダプタ部材の一例）とからなる。
上記スペーサ金具２０は、壁面１に形成しためねじ部にねじＳにより固定されるねじ挿入穴２２を形成した壁面固定片２１と、壁面１から所定の間隔を置いて配置されるスペーサ側固定片２５とを有する。一方、アダプタ金具３０は、スペーサ側固定片２５に固定されるアダプタ側固定片３５とガスメータ１０を固定するための支持穴３２を形成したガスメータ固定片３１とを有する。
更に、アダプタ側固定片３５は、一対のアダプタ側係合穴３６及びアダプタ側ねじ挿入穴３７が左右対称に形成されている。一方、スペーサ側固定片２５には、アダプタ側係合穴３６及びアダプタ側ねじ挿入穴３７に対応して、一対のスペーサ側係合フック２６及びスペーサ側めねじ部２７が左右対称に形成されている。
【００２１】
上記スペーサ金具２０の壁面１への固定方法について説明を加えると、上記スペーサ金具２０が有する壁面固定片２１に形成されたねじ挿入穴２２を壁面１に形成されためねじ部にねじＳにより固定することで、上記スペーサ金具２０を壁面１に固定することができる。
一方、ガスメータ１０のアダプタ金具３０への固定方法について説明を加えると、ガスメータ１０の入口側及び出口側の夫々から上方に突出する管用ねじとして形成されている一対の管継手１２ｉ，１２ｏを、上記アダプタ金具３０が有するガスメータ固定片３１に形成された一対の支持穴３２に挿入して、その上方に配置されている一対のＵベント管４ｉ，４ｏに接続する。そして、予め一対の管継手１２ｉ，１２ｏの夫々に取り付けられていた一対の固定用ナット５ｉ，５ｏと上記Ｕベント管４ｉ，４ｏとで、上記アダプタ金具３０の支持穴３の縁部を挟み込む形態で、上記固定用ナット５ｉ，５ｏを上方に締付けることで、ガスメータ１０をアダプタ金具３０に固定することができる。
【００２２】
更に、本実施形態のガスメータ固定具１００ｃでは、図２（イ）に示すように、アダプタ金具３０におけるアダプタ側係合穴３６に対するアダプタ側ねじ挿入穴３７の間隔であるアダプタ側固定間隔Ｈａが、スペーサ金具２０におけるスペーサ側係合フック２６に対するスペーサ側めねじ部２７の間隔であるスペーサ側固定間隔Ｈｂに対して、小さいものとなっている。
【００２３】
これは、背景技術の欄でも説明したように、上記アダプタ金具３０が新型ガスメータを固定するための新型ガスメータ固定具１００ａ（図６参照）を構成する新型アダプタ金具３０ａであるのに対して、上記スペーサ金具２０が旧型ガスメータを固定するための新型ガスメータ固定具１００ｂ（図７参照）を構成する旧型スペーサ金具２０ｂであり、新型ガスメータ固定具１００ａが、旧型ガスメータ固定具１００ｂと比較して、低コスト且つ省スペース化を図るべく、特に高さ方向の寸法を小さくした小型のものとなっているからである。
尚、図面において、新型アダプタ金具３０ａの各種要部と旧型スペーサ２０ｂの各種要部とを区別するために、互いに対応する要部を示す符号の数字の末尾に、新型の場合には「ａ」を付し、旧型の場合には「ｂ」を付して示す場合がある。
【００２４】
よって、通常（即ち、アダプタ金具３０のアダプタ側固定間隔Ｈａとスペーサ金具２０のスペーサ側固定間隔Ｈｂとが同じ寸法である新型ガスメータ固定具１００ａ又は旧型ガスメータ固定具１００ｂ）では、図６及び図７に示すように、アダプタ側係合穴３６をスペーサ側係合フック２６に係合させてアダプタ金具３０をスペーサ金具２０に掛止した状態で、アダプタ側ねじ挿入穴３７をスペーサ側めねじ部２７にねじＳにより固定することにより、アダプタ金具３０をスペーサ金具２０に固定することができる。
しかし、本実施形態のガスメータ固定具１００ｃでは、図２（ロ）に示すように、新型アダプタ金具３０ａを旧型スペーサ金具２０ｂに掛止した状態において、スペーサ側めねじ部２７ｂの位置が、アダプタ側ねじ挿入穴３７ａの位置に一致せずに、アダプタ側固定片３５ａの下端部よりも下方側に露出された状態となり、スペーサ側めねじ部２７ｂにアダプタ側ねじ挿入穴３７ａを直接ねじ固定することができなくなっている。
【００２５】
このように旧型スペーサ金具２０ｂと新型アダプタ金具３０ａとからなるガスメータ固定具１００ｃにおいて、スペーサ側めねじ部２７ｂにアダプタ側ねじ挿入穴３７ａを直接ねじ固定することなく、新型アダプタ金具３０ａを旧型スペーサ金具２０ｂに固定することができれば、例えば旧型ガスメータを新型ガスメータに交換する際に、壁面に既に固定された旧型スペーサ金具２０ｂをそのまま利用して新型ガスメータを壁面１に固定することができ、壁面１に新型スペーサ金具２０ａ（図６参照）を固定するための新たなめねじ部を形成する必要はない。
【００２６】
そして、本実施例に係るガスメータ固定具１００ｃについては、図３，図４及び図５に示すように、ガスメータ固定具１００ｃにおける低コスト且つ省スペースのメリットをできるだけ損なわず、煩雑な作業を必要としないで、後述する支持金具４０（支持部材の一例）を追加するだけで、新型アダプタ金具３０ａの旧型スペーサ金具２０ｂへの固定を実現することができ、以下に、その支持金具４０について詳細に説明する。
【００２７】
この支持金具４０は、図３及び図４に示すように、スペーサ側めねじ部２７ｂにねじＳにより固定される支持側ねじ挿入穴４２が形成された支持側固定片４１と、支持側ねじ挿入穴４２をスペーサ側めねじ部２７ｂにねじＳにより固定した状態で旧型スペーサ部材２０ｂに掛止された新型アダプタ部材３０ａのアダプタ側ねじ挿入穴３７ａに係止される支持側係止片４３とからなる。
【００２８】
更に、この種の支持金具４０としては、図５に示すように、一般的に市販されている管材固定用の片サドルで構成することができ、かかる片サドルは、支持側ねじ挿入穴４２として機能するねじ固定用のねじ挿入穴が形成された平板部が上記支持側固定片４１として機能し、その平板部から管材の外周を把持する形態で半円状に延出する支持部が上記支持側係止片４３として機能することになる。
【００２９】
よって、新型アダプタ部材３０ａをスペーサ部材２０ｂに掛止した状態で、支持金具４０の支持側ねじ挿入穴４２をスペーサ側めねじ部２７ｂにねじＳにより固定すると共に、同支持金具４０の支持側係止片４３の先端部４４をアダプタ側ねじ挿入穴３７ａに係止させる形態で、支持金具４０を取り付けることで、新型アダプタ部材３０ａが旧型スペーサ部材２０ｂに固定されことになる。
【００３０】
また、支持側係止片４３の先端部４４をアダプタ側ねじ挿入穴３７ａに係止させた状態で、当該支持金具４０を下方に引っ張りながら、支持側ねじ挿入穴４２をスペーサ側めねじ部２７ｂにねじＳにより固定するように、支持金具４０を取り付ける。このように取り付けられた支持金具４０は、支持側ねじ挿入穴４２をスペーサ側めねじ部２７ｂにねじＳにより固定した状態で、支持側係止部４３がアダプタ側ねじ挿入穴３７ａの内径面を支持側ねじ挿入穴４２側に向けて弾性的に押圧して固定するものとなる。即ち、旧型スペーサ２０ｂに取り付けられた支持金具４０の支持側係止部４３の先端部は、自然状態において新型アダプタ部材３０ａのアダプタ側ねじ挿入穴３７ａよりも下方に位置しており、その先端部が弾性変形を伴って上方に変位されてアダプタ側ねじ挿入穴３７ａに係止されることで、アダプタ側ねじ挿入穴３７ａの内径面が支持側係止部４３により支持側ねじ挿入穴４２側に向けて弾性的に押圧されることになる。よって、新型アダプタ部材３０ａのアダプタ側係合穴３６ａが、旧型スペーサ部材２０ｂのスペーサ側係合フック２６ｂから外れることが良好に防止され、更に、旧型スペーサ２０ｂに取り付けられた新型アダプタ３０ａのがたつきをも良好に抑制されている。
【００３１】
〔別実施形態〕
（１）上記実施の形態では、支持金具を図５に示すような管材固定用の片サドルで構成したが、その機能を果たす別の部品を利用したり、新規に作成したものを利用しても構わない。
【００３２】
（２）上記実施の形態では、旧型ガスメータを新型ガスメータに交換するにあたり、壁面に既に固定された比較的大型な旧型スペーサ部材に比較的小型な新型アダプタ部材を固定するために、アダプタ側固定間隔がスペーサ側固定間隔に対して小さい場合を想定したが、本発明は、例えば、アダプタ側固定間隔が夫々異なる複数種のアダプタ部材の夫々を、それらのアダプタ側固定間隔よりも大きいスペーサ側固定間隔を有する共通のスペーサ部材に固定するというように、他の理由でアダプタ側固定間隔がスペーサ側固定間隔に対して小さい場合でも適用可能である。
【００３３】
（３）上記実施の形態では、支持部材の支持部材係止部がアダプタ側ねじ挿入穴の内径面を支持側ねじ挿入穴側に向けて弾性的に押圧して固定するように構成したが、別に、このような押圧を行わずに、支持部材の支持部材係止部の先端がアダプタ側ねじ挿入穴に係止しているだけでも、新型アダプタ部材を旧型スペーサに固定することができる。
【産業上の利用可能性】
【００３４】
本発明は、旧型ガスメータを新型ガスメータに交換する際に、壁面に新たなめねじ部を形成することなく、旧型ガスメータを固定するために壁面に既に固定されている旧型スペーサ部材に、新型ガスメータを固定するための新型アダプタ部材を取り付けるなどの理由で、アダプタ側固定間隔がスペーサ側固定間隔に対して小さい場合におけるガスメータ固定具及びガスメータ固定方法として有効に利用可能である。
【図面の簡単な説明】
【００３５】
【図１】ガスメータの壁面への固定状態を示す図
【図２】新型スペーサに旧型アダプタを掛止する前の状態（イ）、及び、掛止した後の状態（ロ）を示す概略斜視図
【図３】本実施形態にかかるガスメータ固定具の固定状態を示す概略斜視図
【図４】図３のガスメータ固定具の部分断面図
【図５】支持部材として構成される管材固定用の片サドルの概略斜視図
【図６】新型ガスメータ固定具において新型スペーサに新型アダプタを掛止する前の状態を示す概略斜視図
【図７】旧型ガスメータ固定具において旧型スペーサに旧型アダプタを掛止する前の状態を示す概略斜視図
【符号の説明】
【００３６】
１：壁面
１０：ガスメータ
１２ｉ，１２ｏ：管継手
２０：スペーサ金具（スペーサ部材）
２１：壁面固定片
２５：スペーサ側固定片
２６：スペーサ側係合フック
２７：スペーサ側めねじ部
３０：アダプタ金具（アダプタ部材）
３５：アダプタ側固定片
３６：アダプタ側係合穴
３７：アダプタ側ねじ挿入穴
４０：支持金具（支持部材）
４１：支持側固定片
４２：支持側ねじ挿入穴
１００ｃ：ガスメータ固定具
Ｈａ：アダプタ側固定間隔
Ｈｂ：スペーサ側固定間隔
【図１】
2007198908.tif 000003
【図２】
2007198908.tif 000004
【図３】
2007198908.tif 000005
【図４】
2007198908.tif 000006
【図５】
2007198908.tif 000007
【図６】
2007198908.tif 000008
【図７】
2007198908.tif 000009